(57)【特許請求の範囲】
【請求項１】
一端部に出入口を有し、前面板に窓部を有する収納体内に、この収納体の他端部側の一辺部が収納体の前面板と背面板の間に綴じ合わされた仕切板を設けるとともに、透明板に線画を描いた線画シートと、輪郭が前記線画と同形で、しかも輪郭部内に着色が施されている色彩画シートの一辺部を綴じ合わせたスライド板を、その綴じ合わせた側の一辺部が前記出入口側に位置し、前記線画シートと色彩画シートとの間に前記仕切板が介在するように設け、しかも、前記綴じ合わせた側の一辺部を挟む２辺において前記線画シートと色彩画シート間に仕切板を跨ぐよう設けたガイド片が、仕切板の平行な２辺に沿ってスライドしてスライド板が摺動可能となるように設けるとともに、収納体にはスライド板が抜けないようストッパを設け、仕切板が線画シートと色彩画シート間に挟まれている状態では色彩画シートが仕切板に覆われて線画だけしか現れていないが、スライド板を収納体の出入口から引き出すと、線画の裏側に色彩画シートの着色が重なって色付きの絵に変化するようにした変色画板。
【請求項２】
一端部に出入口を有し、前面板に窓部を有する収納体内に、この収納体の他端部側の一辺部が収納体の前面板と背面板の間に綴じ合わされた仕切板を設けるとともに、透明板に線画を描いた線画シートと、輪郭が前記線画と同形で、しかも輪郭部内に着色が施されている色彩画シートの一辺部を綴じ合わせたスライド板を、その綴じ合わせた側の一辺部が前記出入口側に位置し、前記線画シートと色彩画シートとの間に前記仕切板が介在するように設け、しかも、前記綴じ合わせた側の一辺部を挟む２辺において前記線画シートと色彩画シート間に仕切板を跨ぐよう設けたガイド片が、仕切板の平行な２辺に沿ってスライドしてスライド板が摺動可能となるように設けるとともに、収納体にはスライド板が抜けないようストッパを設け、仕切板が線画シートと色彩画シート間に挟まれている状態では色彩画シートが仕切板に覆われて線画だけしか現れていないが、スライド板を収納体の出入口から引き出すと、線画の裏側に色彩画シートの着色が重なって色付きの絵に変化するようにした変色画板を製本してなる絵本。
【発明の詳細な説明】
【０００１】
【発明の属する技術分野】
本発明は絵本等に好適な変色画板および同変色画板を製本した絵本に関する。
【０００２】
【従来の技術】
本発明に対応する変色画板は今までにはない。
【０００３】
【本発明の手段】
本発明に係る変色画板は、一端部に出入口を有し、前面板に窓部を有する収納体内に、この収納体の他端部側の一辺部が収納体の前面板と背面板の間に綴じ合わされた仕切板を設けるとともに、透明板に線画を描いた線画シートと、輪郭が前記線画と同形で、しかも輪郭部内に着色が施されている色彩画シートの一辺部を綴じ合わせたスライド板を、その綴じ合わせた側の一辺部が前記出入口側に位置し、前記線画シートと色彩画シートとの間に前記仕切板が介在するように設け、しかも、前記綴じ合わせた側の一辺部を挟む２辺において前記線画シートと色彩画シート間に仕切板を跨ぐよう設けたガイド片が、仕切板の平行な２辺に沿ってスライドしてスライド板が摺動可能となるように設けるとともに、収納体にはスライド板が抜けないようストッパを設け、仕切板が線画シートと色彩画シート間に挟まれている状態では色彩画シートが仕切板に覆われて線画だけしか現れていないが、スライド板を収納体の出入口から引き出すと、線画の裏側に色彩画シートの着色が重なって色付きの絵に変化するようにした構成のものとしてある。
また本発明に係る絵本は、上記変色画板を製本してなるものとしてある。
【０００４】
【実施例】
以下本発明の実施例を添付図面に示す具体例によって説明する。
図において符号１は本発明に係る多数の画板２を綴じた絵本を示し、各画板２は例えば図面では左辺等の一辺が綴じられて絵本を構成してある。
【０００５】
各画板は前面板３と背面板４とよりなる収納体５を有するとともに前面板３と背面板４との間に、これら前面板と背面板の間に一辺部（図では左辺部）が貼り合わせ部６ａにて取り付けられた無地の仕切板６を介在せしめたものとしてあり、また、前面板３には窓部７を有するとともに綴じられてない他辺に出入口８を形成したものとしてある。
【０００６】
９はプラスチック板等の透明板に線画１０を描いた線画シート、１１は輪郭が前記線画１０と同形で、しかも輪郭部内に着色１２が施されている色彩画シートを示し、これら線画シート９と色彩画シート１１でスライド板１３を構成しており、これら線画シートと色彩画シートは上下方向の幅が前記出入口８の上下幅よりも小であるが、前面板の窓部７の上下幅よりも大であり、線画シートと色彩画シートは、製本した状態で小口側となる一辺部（図では右辺部）が貼り合わせ部１３ａにて結合している。
【０００７】
上記スライド板１３は、収納体５内において前記仕切板６を線画シート９と色彩画シート１１との間に挟んだ状態でセットしてあり、仕切板の上下方向の幅はスライド板１３の上下幅とほぼ同じか若干小としてあって、色彩画シートの奥側（図では左側）の上下辺に設けたガイド片１４、１４を仕切板６の上下辺を跨いで線画シートに固着してある。
【０００８】
また、色彩画シート１１の上下辺には前記ガイド片に隣接し、上下に突出する係合片１５、１５を設けてあり、これらの係合片１５、１５は収納体５における前記出入口８の上下の塞がった部分よりなるストッパ１６、１６に内側から当接してスライド板１３が出入口８から抜けないようにしてある。
【０００９】
しかして、スライド板１３が収納体５内にセットされている状態では、スライド板の色彩画シート１１が仕切板６によって覆われているので、収納体５の窓部７には線画シート９の線画１０だけが現れる。
【００１０】
そしてスライド板１３を前記出入口８から引き出すと、透明な線画シート９の線画１０に色彩画シート１１の着色１２が裏側から重なり、色付きの絵１７に変化する。
【００１１】
再びスライド板１３を収納体５内に戻すと、色彩画シート１１が仕切板６の裏側に隠れ、収納体５の窓部７には線画シート９の線画１０だけが現れる。
【００１２】
上述した実施例において、仕切板６は無地のものとしてあるが、色彩画シート１１の着色１２とは色の異なる着色を施したものとする場合もある。
また、収納体は前面板および背面板を有しない額縁状枠体で構成する場合もある。
【００１３】
【発明の効果】
本発明の変色画板によれば、着色されていない線画がスライド板を引き出すことによって色付きの絵に変化するので、幼児にとっては初めから色の付いている絵をそのまま見るのとは異なり、色や線画に対する興味や好奇心が引き出され、絵本に関する意欲が助長される利点がある。
【図面の簡単な説明】
【図１】本発明に係る絵本の実施例を示す斜視図。
【図２】本発明に係る絵本のスライド体を引き出した状態を示す斜視図。
【図３】画板の一部を破断して示す斜視図。
【図４】収納体の一部を破断して示す斜視図。
【図５】線画シートの斜視図。
【図６】色彩画シートの斜視図。
【符号の説明】
１  絵本
２  画板
３  前面板
４  背面板
５  収納体
６  仕切板
７  窓部
８  出入口
９  線画シート
１０  線画
１１  色彩画シート
１２  着色
１３  スライド板
１４  ガイド片
１５  係合片
１６  ストッパ
１７  色付きの絵
【図１】
0003704508.tif 000002
【図２】
0003704508.tif 000003
【図３】
0003704508.tif 000004
【図４】
0003704508.tif 000005
【図５】
0003704508.tif 000006
【図６】
0003704508.tif 000007